(57)【要約】      （修正有）【課題】構造が単純であり、植栽部へ効率的に灌水を行うことができ、風圧や火災に強いこと、さらに意匠性が高いことを特徴とする緑化パネル構造物を提供する。【解決手段】植物が植栽された植栽部を備える複数の羽根板３を一本の連結部材４を介して上下に隙間をあけて連結して配置された単純な構造を有し、羽根板３を連結部材４の軸方向に対して一定の角度で傾斜して配置することによって、植栽部への灌水が調整でき、また通気を可能とすることによって緑化パネル構造物に対する風圧を減少させることができ、さらに緑化面の視認性を高め意匠性を向上させることができる。さらに羽根板３を上下に隙間をあけて連結して配置したことにより火災による緑化パネル構造物の全焼を防ぐことができる。【選択図】図１
2011004660.tif 000002
【特許請求の範囲】
【請求項１】
羽根板、および
該羽根板を複数配置し連結するための連結部材、
を備えた緑化パネル構造物であって、該羽根板が該羽根板の厚さ方向に直行する少なくとも一面側に植物が植栽された植栽部を備え、かつ該羽根板を貫通する該連結部材を介して上下に隙間をあけて連結されている、上記緑化パネル構造物。
【請求項２】
羽根板が、連結部材の軸方向に対して一定の角度で傾斜して配置され該連結部材を介して連結されている、請求項１記載の緑化パネル構造物。
【請求項３】
羽根板が、取水口および／または通水路を備え、該取水口および／または通水路を通って、該連結部材を介して連結されている上段の羽根板から下段の羽根板へと水が流下する、請求項１または２記載の緑化パネル構造物。
【請求項４】
羽根板が、連結部材の軸方向に対して上向きに凹面または凸面を有し、凹面を有する羽根板と凸面を有する羽根板が連結部材の軸方向の上下に交互に配置され該連結部材を介して連結されている、請求項１〜３のいずれか１項記載の緑化パネル構造物。
【請求項５】
羽根板および／または連結部材の一部または全体が、難燃剤を含むか、または難燃材により被膜されている、請求項１〜４のいずれか１項記載の緑化パネル構造物。
【請求項６】
植物が蘚苔類である、請求項１〜５のいずれか１項記載の緑化パネル構造物。
【請求項７】
植物が、エゾスナゴケ（Racomitrium japonicum）である、請求項６記載の緑化パネル構造物。
【発明の詳細な説明】
【技術分野】
【０００１】
本発明は、植物が植栽された植栽部を備える羽根板を上下に隙間をあけて、連結部材を介して複数連結してなる緑化パネル構造物に関する。
【背景技術】
【０００２】
都市部の温度が局所的に高くなる「ヒートアイランド現象」は、一つの要因として都市部の建築物や構造物の壁面が太陽光などによって加熱・蓄熱されることによって生じると考えられている。このため近年ではこのヒートアイランド現象を緩和するために、日射熱の軽減や大気中の二酸化炭素量を削減することを目的として、建築物や構造物の壁面を植物によって緑化することが注目されている。
【０００３】
建築物や構造物の壁面を緑化するために、今日様々な建築資材、例えば、緑化パネルが開発されている（特許文献１、特許文献２）。
【０００４】
しかしながら、従来の緑化を目的とした建築資材は、構造が複雑であり設置が容易でないこと、また植栽部への灌水が効率的に行えないこと、ならびに風圧に弱く破損しやすいこと、また火災などの燃焼に対して耐性を有さないこと等様々な構造的課題を有していた。さらに、建築資材という観点においては、緑化面の視認性が低く意匠性の乏しいものであった。
【先行技術文献】
【特許文献】
【０００５】
【特許文献１】特開2008-208537号公報
【特許文献２】特開2002-34347号公報
【発明の概要】
【発明が解決しようとする課題】
【０００６】
本発明は、構造が単純であること、植栽部への灌水が効率的に行えること、風圧や火災に強いこと、さらに意匠性の高いことを特徴とする緑化パネル構造物を提供する。
【課題を解決するための手段】
【０００７】
本発明者らは、上記課題を解決すべく、鋭意検討した結果、植物が植栽された植栽部を備える複数の羽根板を一本の連結部材を介して上下に隙間をあけて連結して配置する単純な構造の緑化パネル構造物において、当該羽根板を連結部材の軸方向に対して一定の角度で傾斜して配置することによって、上記課題を解決し得ることを見出し、本発明を完成させるに至った。
【０００８】
すなわち、本発明は以下のとおりである。
［１］  羽根板、および
該羽根板を複数配置し連結するための連結部材、
を備えた緑化パネル構造物であって、該羽根板が該羽根板の厚さ方向に直行する少なくとも一面側に植物が植栽された植栽部を備え、かつ該羽根板を貫通する該連結部材を介して上下に隙間をあけて連結されている、上記緑化パネル構造物。
【０００９】
［２］  羽根板が、連結部材の軸方向に対して一定の角度で傾斜して配置され該連結部材を介して連結されている、［１］の緑化パネル構造物。
［３］  羽根板が、取水口および／または通水路を備え、該取水口および／または通水路を通って、該連結部材を介して連結されている上段の羽根板から下段の羽根板へと水が流下する、［１］または［２］の緑化パネル構造物。
【００１０】
［４］  羽根板が、連結部材の軸方向に対して上向きに凹面または凸面を有し、凹面を有する羽根板と凸面を有する羽根板が連結部材の軸方向の上下に交互に配置され該連結部材を介して連結されている、［１］〜［３］のいずれかの緑化パネル構造物。
［５］  羽根板および／または連結部材の一部または全体が、難燃剤を含むか、または難燃材により被膜されている、［１］〜［４］のいずれかの緑化パネル構造物。
【００１１】
［６］  植物が蘚苔類である、［１］〜［５］のいずれかの緑化パネル構造物。
［７］  植物が、エゾスナゴケ（Racomitrium japonicum）である、［６］の緑化パネル構造物。
【発明の効果】
【００１２】
本発明の緑化パネル構造物は、植物が植栽された植栽部を備える複数の羽根板を一本の連結部材を介して上下に隙間をあけて連結して配置された単純な構造を有し、当該羽根板を連結部材の軸方向に対して一定の角度で傾斜して配置することによって、植栽部への灌水が調整でき、また通気を可能とすることによって緑化パネル構造物に対する風圧を減少させることができ、さらに緑化面の視認性を高め意匠性を向上させることができる。さらに羽根板を上下に隙間をあけて連結して配置したことにより火災による緑化パネル構造物の全焼を防ぐことができる。
【図面の簡単な説明】
【００１３】
【図１】図１は、緑化パネル構造物の側面図（Ａ）および同正面図（Ｂ）を示す。
【図２】図２は、各羽根板上面の上下方向の辺（ａ）の長さの総和が連結部材の長さ（ｂ）よりも大きくなっている緑化パネル構造物の側面図（Ａ）および同正面図（Ｂ）を示す。
【図３】図３は、プレート状の羽根板（３’）およびトナー状の羽根板（３”）の断面図を示す。
【図４】図４は、着色パネルを有する羽根板を一部に有する緑化パネル構造物の正面図（Ａ）および着色パネルを有する羽根板を一部に有する緑化パネル構造物を複数並列して用いた場合の正面図（Ｂ）を示す。
【図５】図５は、通水路を備える緑化パネル構造物の側面図（Ａ）および同正面図（Ｂ）を示す。
【図６】図６は、通水路を備える緑化パネル構造物の側面図（Ａ）および同正面図（Ｂ）を示す。
【図７】図７は、樋を備える取水口および通水路を有する羽根板の側断面図を示す。
【図８】図８は、最上端部および最下端部が対角にあるように調整した緑化パネル構造物の斜視図を示す。
【図９】図９は、最上端部の対角に最下端部を有する形状の羽根板を有する緑化パネル構造物の斜視図を示す。
【図１０】図１０は、通水路を備える緑化パネル構造物を複数並列して用いた場合の正面図を示す。
【図１１】図１１は、凹面を有する羽根板および凸面を有する羽根板を有する緑化パネル構造物の斜視図を示す。
【図１２】図１２は、凹面を有する羽根板および凸面を有する羽根板を有する緑化パネル構造物の側面図（ａ）ならびに凹面を有する羽根板の断面図（ｂ）および凸面を有する羽根板の断面図（ｃ）を示す。
【図１３】図１３は、難燃剤が塗布された羽根板の正面図（ａ）、難燃剤が塗布された連結部材を有する緑化パネル構造物の側面図（ｂ）ならびに難燃剤が塗布された羽根板および連結部材有する緑化パネル構造物の側面図（ｃ）を示す。
【発明を実施するための形態】
【００１４】
以下、本発明を図面を参照して詳細に説明する。ただし、図に示された発明は本発明の一実施形態を示すものであり、本発明をこれらの発明に限定することを意図しない。
【００１５】
図１に示すとおり、本発明の緑化パネル構造物１は、植栽部２を含む複数の羽根板３が、上下に隙間をあけて、連結部材４を介して連結して配置された建築資材である。ここで「複数」とは、２枚以上、３枚以上、４枚以上または５枚以上の羽根板を示し、その上限は本発明の緑化パネル構造物が設置される建築物または建築物壁面の大きさ、および本発明の緑化パネル構造物の使用目的に応じて適宜決定することができる。
【００１６】
本発明の緑化パネル構造物は、例えば建築物および建築物壁面等に取り付けることができる。ここで「建築物」とは、ビルや家屋等の建物、橋梁、道路・軌道壁等の建築物を指す。「壁面」とは、外壁も内壁も含む、建築物の壁面を指す。また、「壁面」は、垂直面であっても、傾斜面であっても良い。
【００１７】
緑化パネル構造物１は、建築物または建築物壁面等に設けられた支持土台５に固定された連結部材４に、当該連結部材４を介して上下方向に所定の隙間を空けて複数の羽根板３を取り付けたものである。
【００１８】
連結部材４は、建築物および建築物壁面等に鉛直方向に沿って、または鉛直方向に対して一定の角度で傾斜して支持土台５に固定する。連結部材４は、その上端および下端のいずれも、または上端もしくは下端のいずれかを支持土台５に固定する。連結部材４は、柱状または紐状（針金、紐、縄、鎖等を含む）の形状を有し、直線状または湾曲もしくは分岐を有する形状であっても良い。また、連結部材４は、中空または中実の形状を有し、その断面形状は特に限定されるものではなく、例えば、丸、楕円、角形等、いかなる形状であっても良い。また連結部材４は、中空である場合に各羽根板３上の植栽部２に水を給排水するための通水路として機能しても良い。連結部材４は、羽根板３を複数連結して固定できる強度を有すればいかなる材料から形成されても良く、例えば、これらに限定されないが金属、樹脂、セラミック、木等から形成される。連結部材４は、羽根板３に羽根板３の厚さ方向に貫通して設けられた貫通孔６を貫通できる太さであれば良い。
【００１９】
羽根板３は、羽根板３を貫通して設けられた貫通孔６を貫通する連結部材４を介して、当該連結部材４の軸方向に対して一定の角度で傾斜するとともに、上下に所定間隔離間して配置されている。このため連結部材４を羽根板３に貫通させるだけの簡便な構造で緑化パネルの角度を安定して固定できるとともに、上下に隣り合う羽根板３間からの採光、植栽部２への灌水、緑化パネル構造物１に対する風圧の緩和を可能とし、また一定の方向からの羽根板上面の全体またはその一部の視認性を高めることができるようになっている。羽根板３は、連結部材４を支持軸としてそれぞれが独立に可動式であっても良いし、それぞれ独立に一定の角度で傾斜して固定される固定式であっても良い。
【００２０】
羽根板３は、連結部材４が貫通できる貫通孔６を少なくとも１個有する。貫通孔６は、羽根板３の厚さ方向に直行する面に垂直に、または当該面に対して一定の角度で傾斜して設けることができる。貫通孔６を複数個、例えば２個有する場合、一枚の羽根板３を２本の連結部材４が貫通する。好ましくは、貫通孔６は一枚の羽根板３に一つ存在する。貫通孔６の位置は、羽根板３の重心を通る位置にあっても良いし、重心を通らない位置にあっても良い。
【００２１】
羽根板３は、植栽部２が配置された面を上側に連結部材４に連結されている。
羽根板３の形状は、特に限定されるものではなく、羽根板３の厚さ方向に直行する面の形状は、丸、楕円、三角、正方形、ひし形等、いかなる形状であっても良い。
【００２２】
図２に示すように、各羽根板３上面の上下方向の辺（または直径）（ａ）の総和が連結部材４の長さ（ｂ）よりも大きくなっても良い。このような形状を有する羽根板３を備える緑化パネル構造物は、羽根板上面の総面積を、緑化パネル構造物を設置する壁面の面積よりも大きくすることが可能であり、結果として緑化の総面積を大きくすることができる。
【００２３】
図３は、羽根板３の断面図を示す。羽根板３の形状は、プレート状のもの（３’）が好ましく、また羽根板３の縁部の一部またはその全体が上方に立ち上がっているもの（３”）であっても良い。また、羽根板３の形状は、凹面または凸面を有するものであっても良い。
【００２４】
羽根板３の側面、すなわち、厚さ方向に水平な面の形状はその目的に応じて任意に形成することができ、特に限定されない。
【００２５】
羽根板３は、植栽部２を保持でき、かつ屋内外の設置に長期耐え得ることができる強度を有すればいかなる材料から形成されても良く、例えば、これらに限定されないが金属、樹脂、木、多孔質材料（セラミック、コンクリート等）から形成される。必要に応じて、水の流れを制御するために羽根板３はその全体または一部が防水シートによって覆われていても良い。
【００２６】
植栽部２は、植物７が植え付けられた、または着生された植栽基盤８からなる。植栽基盤８は、植物７を担持することができるとともに、植物７が生育するのに必要な水分および／または養分を保持できる物質で構成され、例えば、土、軽石、木片、植物繊維、不織布、および多孔質材料（セラミック、コンクリート等）からなる群から選択される一つ以上の物質を用いることができるがこれらに限定されない。好ましくは不織布を用いる。さらに、植栽基盤８には、保水剤（架橋ポリアクリル酸ソーダゲルやＰＶＡ等）を含めても良い。植栽基盤８に植え付けられたまたは着生された植物７は当該植栽基盤８上で自生する。
【００２７】
植栽基盤８に植えつけられるかまたは着生される植物７としては、植栽部２において生育し自生し得る植物であれば特に限定されず、例えば、芝、ツル性木本、リュウノヒゲ、ヤブラン、セダム類、蘚類、苔類、ツノゴケ類等が挙げられるが、これらに限定されない。好ましくは蘚類、苔類、および／またはツノゴケ類を用いる。
【００２８】
蘚類、苔類、ツノゴケ類は、肥料を混入した水（液肥）を与えて日光を当てるだけで生育可能であること、過剰に伸びたりしないために必要最小限のメンテナンスで済むこと、および乾燥条件に強いこと等の有利点を有する。
【００２９】
蘚類としては、ミズゴケ類（ミズゴケ亜綱）、クロゴケ類（クロゴケ亜綱）、ナンジャモンジャゴケ類（ナンジャモンジャゴケ亜綱）およびマゴケ類（マゴケ亜綱）等が利用できる。
【００３０】
苔類としては、ゼニゴケ類（ゼニゴケ亜綱）およびウロコゴケ類（ウロコゴケ亜綱）等が利用できる。
ツノゴケ類としては、ツノゴケ亜綱等を利用できる。
【００３１】
好ましくは、エゾスナゴケ（Racomitrium japonicum）、ハイゴケ（Hypnum plumaeforme）、ウマスギゴケ（Polytrichum commune Hedw.）、スギゴケ（Polytrichum juniperinum Willd. ex Hedw.）、ヤマトフデゴケ（Campylopus japonicus Broth.）、ゼニゴケ（Marchantia polymorpha）、ヒノキゴケ（Pyrrhobryum dozyanum）、ホソバオキナゴケ（Leucobryum juniperoideum）、カモジゴケ（Dicranum scoparium）、ミノゴケ（Macromitrium japonicum Dozy et Molk.）、ナガバチヂレゴケ（Ptychomitrium linearifolium Reimers et Sakurai）、シナチヂレゴケ（Ptychomitrium gardneri）を利用できる。
【００３２】
特に好ましくは、エゾスナゴケ（Racomitrium japonicum）を利用する。エゾスナゴケは渇水などを含む環境変化に特に強いために、様々な環境（例えば、道路や線路脇・高層ビル群の谷間など風圧が強い場所等）において生育可能である。故に、エゾスナゴケを羽根板の植栽部に備えることによって、緑化パネル構造物の設置適用範囲を広げることができる。
【００３３】
植栽部２は、羽根板３の厚さ方向に直行する少なくとも一面、好ましくは上側の面の全体に設けられていても良いし、当該面の一部に設けられていても良い。また植栽部２の形状は、羽根板３の厚さ方向に直行する面の形状および／または本発明の緑化パネル構造物の使用目的に応じて適宜決定することができ、特に限定されるものではなく、例えば、丸、楕円、三角、正方形、長方形、ひし形等、いかなる形状であっても良い。また、植栽部２は、羽根板３と共に連結部材４により貫通されていても良い。
【００３４】
本発明の緑化パネル構造物１は、含まれる羽根板３の全てが植栽部２を有していなくても良い。例えば、羽根板３には植栽部２に代えて、着色パネル(例えば、緑色パネル)、看板、掲示板、照明器具等、本発明の緑化パネル構造物１の使用目的に応じて適当なものを含めることができる。図４は、植栽部２に代えて、着色パネル９を有する羽根板３を一部に有する緑化パネル構造物１を示す（図４（Ａ））。着色パネル９を有する羽根板３が含まれることによって、緑化パネル構造物１の意匠性を高めることができる。また、複数の緑化パネル構造物１を並列し、着色パネル９を有する羽根板３の位置を適宜調整することによって、着色パネル９を有する羽根板３および／または植栽部２を有する羽根板３によって文字、図形などを構成することができる(図４（Ｂ）)。
【００３５】
本発明の緑化パネル構造物１は、羽根板３上の植栽部２への灌水を効率的に行うことができる。
【００３６】
図５に示すとおり、最も単純には本発明の緑化パネル構造物１は、傾斜した羽根板３の上面の最下端部に少なくとも１つの通水路１０を備える。通水路１０の個数は、羽根板３および植栽部２の形状および大きさに応じて適宜決定することができる。
【００３７】
羽根板３の上方より植栽部２を有する羽根板３の上面に流下した水（好ましくは液肥）１１は、羽根板３上面の傾斜面に沿って流れ、この際に植栽部２に灌水しながら羽根板３の最下端部またはその近傍に向かって流れる。最下端部またはその近傍に到達した水１１は、下段に配置された別の羽根板３の最上端部またはその近傍に通水路１０を通って流下する。
【００３８】
「最上端部」とは、連結部材４に傾斜して配置された羽根板３の植栽部２を有する上面において鉛直方向に最も高い位置を指す。「最上端部」は、羽根板の植栽部２を有する上面上にある点であっても良いし、羽根板の植栽部２を有する上面の一辺であっても良い。一方、「最下端部」とは連結部材４に傾斜して配置された羽根板３の植栽部２を有する上面において鉛直方向に最も低い位置を指す。「最下端部」は、羽根板の植栽部２を有する上面上にある点であっても良いし、羽根板の植栽部２を有する上面の一辺であっても良い。
【００３９】
通水路１０は下段に配置された別の羽根板の最上端部またはその近傍に直接接していても良いし（図６）、離れていても良い（図５）。
【００４０】
通水路１０は、通水可能であればどのような形状であっても良く、最も単純には羽根板３の最下端部またはその近傍に直接固定された中実のスティック状、プレート状の通水路１０が挙げられる。これらの通水路１０は、水の表面張力を利用して上段の羽根板３の最下端部またはその近傍の水を、下段に配置された別の羽根板の最上端部またはその近傍に通水する。
【００４１】
別の実施形態において通水路１０は、パイプ状の形状を有し羽根板３に設けられた取水口１２に固定され、上段の羽根板３の最下端部またはその近傍の水が取水口１２より通水路１０のパイプ中を通過して、下段に配置された別の羽根板の最上端部またはその近傍に流下する（図７および図９参照）。
【００４２】
取水口１２の形状は、羽根板上面の水を通水路１０に排水することができる形状であれば特に限定されないが、例えば、羽根板上面の最下端部またはその近傍に設けられた羽根板３を貫通する孔、羽根板上面の最下端部またはその近傍に設置され羽根板上面に沿って流れた水を受けるための樋１３を貫通して設けられた孔であっても良い。図７は、樋１３を備える羽根板３の断面図を示す。羽根板３の上面を流れた水１１は羽根板３の最下端部またはその近傍に設けられた樋１３によって受け止められ、取水口１２を介して通水路１０へ排水される。
【００４３】
羽根板３を貫通して設けられた、または樋１３を貫通して設けられた取水口１２は、下段に配置された羽根板上面の最上端部またはその近傍に向かって貫通していても、鉛直方向に貫通していても良い。
【００４４】
通水路１０は、通水可能であればどのような材料で構成されていても良く、例えば、毛細管現象により水を吸収し保持できる浸水材（紐等）であっても良いし、金属、樹脂等で構成されていても良い。
【００４５】
本発明の緑化パネル構造物１は、含まれる羽根板３の傾斜角度および向き、羽根板３の形状、ならびに／あるいは取水口および通水路の配置をそれぞれ調整することによって、羽根板３上の植栽部２への灌水を効率的に行うことができる。
【００４６】
植栽部への灌水の効率は、羽根板上面を移動する水の距離が最大となるように羽根板上面の形状、羽根板の傾斜の角度および向き、ならびに取水口および／または通水路の位置を設定することによって向上させることができる。すなわち、上段の羽根板より流下した水を受ける位置（最上端部またはその近傍）と、取水口および／または通水路の位置（最下端部またはその近傍）が最も離れるように、例えば植栽部が四角形であればその対角上に配置することによって、植栽部への灌水を効率的に行うことができる（図８および図９参照）。
【００４７】
図８に示すように、各羽根板の傾斜の角度および向き、ならびに取水口および／または通水路の位置を設定する。すなわち、羽根板３が、水を受ける位置が最上端部またはその近傍となり、その対角に配置される通水路１０が最下端部またはその近傍となるように連結部材４に固定される。上方より当該羽根板３の最上端部またはその近傍に流下した水１１は、羽根板３の傾斜面に沿って対角の存在する最下端部またはその近傍に配置された通水路１０に向かって流れ、通水路１０より下段の羽根板３の最上端部またはその近傍に流下する。
【００４８】
また、図９に示すように、植栽部２を有する羽根板３上面は、最上端部の対角の位置に底部を有する凹面を有していても良い。「底部」とは凹面において鉛直方向に最も低い位置(点)を指す。凹面の深さは、最上端部よりその底部に向かって水を流すことができれば特に限定されない。ここで「凹面の深さ」とは、最上端部と底部との高低差を意味する。底部には通水路１０および／または取水口１２が配置される。羽根板３上面が当該形状を有することによって、水１１を、最上端部またはその近傍より植栽部２へ効率的に灌水を行いながら通水路１０および／または取水口１２に向かって流すことができる。凹面において最上端部またはその近傍より底部に流れた水は、通水路１０および／または取水口１２に沿って下段の羽根板３の最上端部またはその近傍に流下する。
【００４９】
さらに、同様に羽根板の傾斜の角度および向き、ならびに通水路１０および／または取水口１２の位置を調整することによって、図１０に示すように、並列に配置された複数の緑化パネル構造物の複数の羽根板３上の植栽部２に対して、効率的に灌水を行うことができる。図１０に示される実施形態は、複数の緑化パネル構造物のなかの最上段に位置する羽根板の最上端部またはその近傍１箇所に注水された水１１が、羽根板３の傾斜および向きならびに通水路１０および／または取水口１２の配置によって、複数の羽根板３の植栽部２に流れることを示す。
【００５０】
別の実施形態において、本発明の緑化パネル構造物は、羽根板が、連結部材の軸方向に対して上向きに凹面または凸面を有し、凹面を有する羽根板と凸面を有する羽根板が連結部材の軸方向の上下に交互に配置され、連結部材を介して連結された構造を有する。最上段および／または最下段の羽根板を、凹面を有する羽根板とするか、または凸面を有する羽根板とするかは特に限定されない。
【００５１】
凹面の上方より流下した水は、凹面の縁部より植栽部を通りその最下端部に向かって羽根板上面上を流れ、最下端部より、下段に配置された凸面の最上端部またはその近傍に向かって流下され、当該最上端部より縁部に向かって植栽部を通り羽根板上を流れ、下段に配置された凹面の縁部に向かって流下される。
【００５２】
凹面の深さは、縁部よりその最下端部に向かって水を流すことができれば特に限定されない。ここで「凹面の深さ」とは、上に定義したとおりである。
【００５３】
また、凸面の高さは、最上端部よりその縁部に向かって水を流すことができれば特に限定されない。ここで「凸面の高さ」とは、凸面の最上端部と縁部との高低差を意味する。
【００５４】
凹面において縁部またはその近傍より最下端部またはその近傍に流れた水は、凹面の最下端部またはその近傍に設けられた少なくとも１つの上記通水路および／または取水口に沿って凸面の最上端またはその近傍に向かって流下させても良い。
【００５５】
また凸面において最上端部またはその近傍より縁部（最下端部またはその近傍）に流れた水は、凸面の縁部（最下端部またはその近傍）に設けられた少なくとも１つの上記通水路および／または取水口に沿って凹面の縁部（最上端部）またはその近傍に向かって流下させても良い。
【００５６】
連結部材が、凹面の最下端部またはその近傍を貫通し、かつ凸面の最上端部またはその近傍を貫通する場合、当該連結部材を通水路として用いても良い。この場合連結部材は、中空の形状を有し、凹面の最下端部またはその近傍の位置に流れた水を連結部材内へ導くための少なくとも１つの取水口と、凸面の最上端部またはその近傍の位置に連結部材内を通過した水を凸面の最上端部またはその近傍に排出するための排水口を備える。
【００５７】
凹面を有する羽根板の幅は、上段に配置された凸面を有する羽根板の縁部より流下する水を効率的に受けることができるように調整することができる。すなわち、凹面を有する羽根板の縁部が、上段に配置された凸面を有する羽根板の縁部より外側に配置されていることが好ましい。
【００５８】
図１１に示されるように、凹面には、植栽部２を有する羽根板３の上面が少なくとも１つの谷折り面１４を有する場合を含む。同じく図１１に示されるように、凸面には、植栽部２を有する羽根板３の上面が少なくとも１つの山折り面１５を有する場合を含む。さらに、谷折り面１４および山折り面１５には、谷折り面の谷線１６または山折り面の稜線１７を中心に湾曲した形状も含む。谷折り面の谷線１６および山折り面の稜線１７は、羽根板３の中心線でなくても良く、また羽根板３の重心を通過していなくても良い。図１１に示されるように、羽根板上の凹面に流下した水１１は縁部またはその近傍より谷折り面１４に沿って植栽部２を通り、凹面の最下端部またはその近傍に設置された少なくとも１つの取水口１２より通水路１０を通って、下段に配置された凸面を有する羽根板の最上端部またはその近傍に流下させることができる。凸面を有する羽根板の最上端部またはその近傍に流下した水１１は山折り面１５に沿って、植栽部２を通り縁部向かって流れ、凸面の最下端部またはその近傍に設置された少なくとも１つの通水路１０より、下に配置された凹面を有する羽根板の最上端部またはその近傍に流下させることができる。
【００５９】
図１２に示されるように、凹面には、植栽部２を有する羽根板３の上面が少なくとも１つの底部１８を有する場合を含む。同じく図１２に示されるように、凸面には、植栽部２を有する羽根板の上面が少なくとも１つの頂部１９を有する場合を含む。ここで「底部」とは上に定義したとおりである。一方、「頂部」とは羽根板３の上面において鉛直方向に最も高い位置(点)を指す。底部１８および頂部１９は、羽根板３の重心上になくても良いし、また羽根板３の中心線上になくても良い。この場合に、凸面および凹面の形状は錐形であっても、半球状であっても良い。図１２に示されるように、羽根板上の凹面に流下した水１１は縁部より植栽部２を通り底部１８に向かって流れ、凹面の最下端部またはその近傍に設置された少なくとも１つの通水路１０より、下に配置された凸面を有する羽根板の頂部１９またはその近傍に流下させることができる。凸面を有する羽根板の頂部１９またはその近傍に流下した水１１は植栽部２を通り縁部に向かって流れ、凸面の最下端部またはその近傍に設置された少なくとも１つの通水路１０より、下に配置された凹面を有する羽根板の最上端部またはその近傍に流下させることができる。
【００６０】
本発明の緑化パネル構造物は、耐火性を有する。本発明の緑化パネル構造物において、羽根板を連結材を介して上下に隙間をあけて配置したことにより、たとえ一の羽根板が燃焼したとしても、直ちに他の羽根板への燃え移りを防ぐことができる。
【００６１】
さらに本発明の緑化パネル構造物は、構成部材である羽根板、連結部材、通水路等の原料に難燃剤を含めるか、または当該羽根板、連結部材、通水路等の一部または全体を難燃剤で被覆することができる。これにより当該緑化パネル構造物に耐火性を付与することができる。利用し得る難燃剤としては、特に限定されることなく当該分野で公知の一般的な難燃剤を利用することができ、例えば以下のものが挙げられる：
有機系難燃剤（臭素化合物であるペンタブロモジフェニルエーテル、オクタブロモジフェニルエーテル、デカブロモジフェニルエーテル、テトラブロモビスフェノールA、ヘキサブロモシクロドデカン等、リン化合物である芳香族のリン酸エステル、赤リン、ハロゲンを含むリン酸エステル等、塩素化合物である塩素化パラフィン等）；
無機系難燃剤（アンチモン化合物である臭素化合物、三酸化アンチモン、五酸化アンチモン等、金属水酸化物である水酸化アルミニウム、水酸化マグネシウム等）；ならびに
その他（ポリホウ酸ナトリウム等の不燃剤）。
【００６２】
上記難燃剤は、例えば、散布（スプレー等）、塗布（機械コーティング、はけ塗り）等の一般的な手法を用いて羽根板、連結部材、通水路等の一部または全体を被膜することができる。難燃剤により被膜する範囲は特に限定されない。例えば、図１３（ａ）に示すように、羽根板３の上面および／または下面（好ましくは下面）に難燃剤２０を格子状に塗布する。難燃剤２０を格子状に塗布することによって、羽根板表面を区分化でき、例えば一区分が燃焼しても他の区分への延焼を効率的に防ぐことができる。また、図１３（ｂ）に示すように、羽根板３を挟んで連結部材４の上部および下部に難燃剤２０を塗布する。このように難燃剤２０を連結部材４に塗布することによって、例えば一枚の羽根板が燃焼しても、その上部または下部の他の羽根板への連結部材に沿った延焼を効率的に防ぐことができる。さらに、図１３（ｃ）に示すように、羽根板３の下面および連結部材４の羽根板３の下面直下部に難燃剤２０を塗布する。このように難燃剤２０を羽根板３および連結部材４に塗布することによって、例えば一枚の羽根板上で燃焼が生じても、上部羽根板３への延焼を効率的に防ぐことができる。
【産業上の利用可能性】
【００６３】
本発明の緑化パネル構造物は、構造が単純であり設置が容易であること、植栽部への灌水が効率的に行えること、風圧や火災に強いこと、さらに意匠性が高いことから、様々な建築物または建築物壁面等の建築資材として利用することができる。
【符号の説明】
【００６４】
１緑化パネル構造物
２植栽部
３羽根板
４連結部材
５支持土台
６羽根板貫通孔
７植物
８植栽基盤
９着色パネル
１０通水路
１１水
１２取水口
１３樋
１４谷折り面
１５山折り面
１６谷折り面の谷線
１７山折り面の稜線
１８底部
１９頂部
２０難燃剤
【図１】
2011004660.tif 000003
【図２】
2011004660.tif 000004
【図３】
2011004660.tif 000005
【図４】
2011004660.tif 000006
【図５】
2011004660.tif 000007
【図６】
2011004660.tif 000008
【図７】
2011004660.tif 000009
【図８】
2011004660.tif 000010
【図９】
2011004660.tif 000011
【図１０】
2011004660.tif 000012
【図１１】
2011004660.tif 000013
【図１２】
2011004660.tif 000014
【図１３】
2011004660.tif 000015